(57)【要約】【課題】ロータリ式芝刈り機Ａのケーシング１全体を大きくすることなく、刈り芝排出通路４２の断面積を大きく確保して、芝の排出を効率よく行う。【解決手段】ロータリ芝刈り機Ａのケーシング１内に刈り芝排出通路４２を、刈り刃軸３２周りを螺旋状に延びて通路壁が遠心ファンのファンハウジングをなすように形成し、刈り刃軸３２後側のケーシング１内に配置される電動モータ１６を刈り刃軸３２の真後ろ位置よりも刈り芝排出通路４２の始端部４２ａ側にオフセットして配置し、電動モータ１６が刈り芝排出通路４２と干渉するのを防ぎ、その刈り芝排出通路４２の断面積を確保する。【選択図】図２
2007300897.tif 000002
【特許請求の範囲】
【請求項１】
走行車輪が軸支されたケーシングと、
上記ケーシングに上下方向の回転軸心をもって回転可能に支持された刈り刃軸と、
上記刈り刃軸の下端部に回転一体に取り付けられ、外周に芝を刈り取る刃部を有する円板状の刈り刃と、
上記刈り刃上側の刈り刃軸に回転一体に取り付けられたファンと、
ケーシング内に上記刈り刃軸から離れて設けられ、刈り刃軸を伝動機構を介して駆動して上記刈り刃を回転させる出力軸を有する駆動装置と、
ケーシング内に、上記刈り刃軸の左右一側の始端部から刈り刃軸の前側に向かった後に刈り刃軸の左右他側を後側に向かうように刈り刃軸の周りを刈り刃軸の回転方向に沿って螺旋状に延びた後にケーシング後端の排出口に連通するように形成され、上記ファンの回転により上記始端部から排出口に向かう方向の空気流が生成されて該空気流により、上記刈り刃で刈り取った芝を排出口に排出する刈り芝排出通路とを備え、
上記駆動装置は、上記刈り刃軸の真後ろ位置よりも上記刈り芝排出通路の始端部側に刈り刃軸周りに所定角度だけオフセットして配置されていることを特徴とするロータリ芝刈り機。
【請求項２】
請求項１のロータリ芝刈り機において、
駆動装置が電動モータであることを特徴とするロータリ芝刈り機。
【請求項３】
請求項１又は２のロータリ芝刈り機において、
伝動機構は、駆動装置の出力軸の回転を減速して刈り刃軸に伝達する減速伝動機構であることを特徴とするロータリ芝刈り機。
【発明の詳細な説明】
【技術分野】
【０００１】
本発明は、例えば芝生等の芝を刈り取るために使用されるロータリ芝刈り機に関し、特に、そのモータ等の駆動装置の配置構造に関する。
【背景技術】
【０００２】
一般に、この種のロータリ芝刈り機は、例えばケーシングに支持された走行車輪と、ケーシングの下部に上下方向の軸心で回転可能に支持された円板状の刈り刃と、この刈り刃を駆動回転させるモータやエンジン等の駆動装置と、芝を溜める刈り芝入れかごとを備えており、駆動装置による刈り刃の回転状態で、手で押して走行させることで、芝を刈り取り、その刈り取った芝を空気流により刈り芝入れかごに送るようになっている。
【０００３】
このようなロータリ芝刈り機では、通常、重量のある駆動装置をケーシングの中央部に配置することが一般的に行われている。その他、ケーシングの上側に刈り芝入れかごを取り付け、エンジンをケーシングの外側に配置することで、刈り芝入れかごの高さを低くして、そのかご内部の刈り芝重量が変化しても前後車輪の接地荷重差が変化するのを抑えて操縦感覚の安定を保つことが提案されている（特許文献１参照）。
【０００４】
また、後輪の上方に刈り芝入れかごを、またエンジンを後輪よりも後側にそれぞれ配置することにより、後輪を支点に前側を持ち上げる方向変換を容易化するとともに、かご内部の刈り芝重量が変化しても前後車輪の接地荷重差が変化するのを抑えて操縦感覚の安定を保つことが提案されている（特許文献２参照）。
【特許文献１】特開昭６１−２６５０１１号公報
【特許文献２】実願昭５９−１７０７３１号（実開昭６１−８７０２０号）のマイクロフィルム
【発明の開示】
【発明が解決しようとする課題】
【０００５】
ところで、刈り刃で刈り取った芝を空気流により刈り芝入れかごまで送る刈り芝排出通路をケーシング内に形成するとともに、刈り刃軸に回転一体に取り付けたファンを遠心ファンとして作用させて刈り芝排出通路に上記空気流を生成するために、その刈り芝排出通路を遠心ファンのファンハウジングとすることがある。すなわち、この刈り芝排出通路を、刈り刃軸の左右一側の始端部から刈り刃軸の前側に向かった後に刈り刃軸の左右他側を後側に向かうように刈り刃軸の周りを刈り刃軸の回転方向に沿って螺旋状に延びた後にケーシング後端の排出口に連通するように形成する。
【０００６】
しかしながら、このように通路壁がファンハウジングを構成する刈り芝排出通路をケーシング内に駆動装置と共に形成する場合に当たり、その駆動装置の設置スペースによって刈り芝排出通路が干渉されて、その断面積が制限を受けることがある。そして、この刈り芝排出通路は、刈り取った芝を空気流により送るものであるので、その断面積が制限されると、芝の排出を効率よく行うことができず、その解決のためには、ケーシング全体を大きくせねばならないという問題が生じる。
【０００７】
本発明は斯かる点に鑑みてなされたものであり、その目的は、ケーシング内に刈り芝排出通路を駆動装置と共に設ける場合に、その駆動装置のレイアウトに工夫を凝らすことにより、ケーシング全体を大きくすることなく、刈り芝排出通路の断面積を大きく確保して、芝の排出を効率よく行うようにすることにある。
【課題を解決するための手段】
【０００８】
上記の目的を達成すべく、この発明では、刈り芝排出通路の通路壁が遠心ファンのファンハウジングを構成するために螺旋状になる場合に、その螺旋状通路が半径の変化によって釣り針状（又は鉤状）になって非通路部分が形成されることに着目し、その非通路部分を利用して駆動装置の設置スペースを形成するようにした。
【０００９】
具体的には、請求項１の発明では、走行車輪が軸支されたケーシングと、このケーシングに上下方向の回転軸心をもって回転可能に支持された刈り刃軸と、この刈り刃軸の下端部に回転一体に取り付けられ、外周に芝を刈り取る刃部を有する円板状の刈り刃と、この刈り刃上側の刈り刃軸に回転一体に取り付けられたファンと、ケーシング内に上記刈り刃軸から離れて設けられ、刈り刃軸を伝動機構を介して駆動して刈り刃を回転させる出力軸を有する駆動装置と、ケーシング内に、上記刈り刃軸の左右一側の始端部から刈り刃軸の前側に向かった後に刈り刃軸の左右他側を後側に向かうように刈り刃軸の周りを刈り刃軸の回転方向に沿って螺旋状に延びた後にケーシング後端の排出口に連通するように形成され、上記ファンの回転により上記始端部から排出口に向かう方向の空気流が生成されて該空気流により、上記刈り刃で刈り取った芝を排出口に排出する刈り芝排出通路とを備え、上記駆動装置は、上記刈り刃軸の真後ろ位置よりも上記刈り芝排出通路の始端部側に刈り刃軸周りに所定角度だけオフセットして配置されていることを特徴としている。
【００１０】
この発明の構成によると、駆動装置により伝動機構を介して刈り刃軸が回転駆動され、この刈り刃軸に取り付けられた刈り刃及びファンが回転する。刈り芝排出通路は、刈り刃軸の左右一側の始端部から刈り刃軸の前側に向かった後に刈り刃軸の左右他側を後側に向かうように刈り刃軸の周りを刈り刃軸の回転方向に沿って螺旋状に延びているので、この刈り芝排出通路の螺旋状部分の通路壁が遠心ファンのファンハウジングとなり、ファンの回転によって刈り芝排出通路に始端部から排出口に向かう空気流が生成する。この状態で芝刈り機を前進走行させると、刈り刃の回転により、その刃部で芝が刈り取られ、この芝は刈り芝排出通路に送られて上記空気流により排出口に排出される。
【００１１】
そして、上記駆動装置は、刈り刃軸の真後ろ位置よりも刈り芝排出通路の始端部側に刈り刃軸周りに所定角度だけオフセットして配置されているので、その駆動装置の位置は、刈り芝排出通路において螺旋状に形成される部分と干渉しない位置となり、その駆動装置が刈り芝排出通路と干渉しないこととなる。このことで、ケーシング全体を大きくすることなく、刈り芝排出通路の断面積を大きく確保できるようになり、芝の排出効率を高めることができる。
【００１２】
請求項２の発明では、上記駆動装置は電動モータとする。このことで、ケーシングに電動モータを配置するロータリ芝刈り機に対し、そのケーシング全体を大きくすることなく、刈り芝排出通路の断面積を大きく確保して、芝の排出効率を高めることができる。
【００１３】
請求項３の発明では、上記伝動機構は、駆動装置の出力軸の回転を減速して刈り刃軸に伝達する減速伝動機構とする。このことで、駆動装置の出力軸の回転トルクよりも刈り刃の回転トルクを増大させて、芝の刈り取り能力を高めることができる。
【発明の効果】
【００１４】
以上説明したように、請求項１及び２の発明によると、ロータリ芝刈り機のケーシング内に刈り芝排出通路を、刈り刃軸周りを螺旋状に延びて通路壁が遠心ファンのファンハウジングをなすように形成するとともに、刈り刃軸後側のケーシング内に、刈り刃軸に伝動機構を介して駆動連結される駆動装置を配置するに当たり、その駆動装置を刈り刃軸の真後ろ位置よりも刈り芝排出通路の始端部側にオフセットして配置したことにより、駆動装置が刈り芝排出通路と干渉するのを防いで、その刈り芝排出通路の断面積を大きく確保することができ、ケーシング全体を大きくすることなく、芝の排出効率の向上を図ることができる。
【００１５】
請求項３の発明によると、上記伝動機構は、駆動装置の出力軸の回転を減速して刈り刃軸に伝達する減速伝動機構としたことにより、駆動装置の出力軸の回転トルクよりも刈り刃の回転トルクを増大させて、芝の刈り取り能力を高めることができる。
【発明を実施するための最良の形態】
【００１６】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１７】
図１〜図５は本発明の実施形態に係るロータリ芝刈り機Ａを示し、その前側は図１〜図５で左側であり、後側は図で右側である。図において、１はケーシングで、このケーシング１はケーシング本体２と、その上面の略全体を覆う上側カバー３と、ケーシング本体２の下面の略前半部を覆う下側カバー４とを備え、これらは例えば樹脂製或いは金属製の板状体で形成されている。
【００１８】
上記ケーシング本体２は、前後長さ（図１〜図４で左右方向の長さ）が左右幅（同上下方向の長さ）よりも大きい平面視で略矩形箱状のもので、その上面の略中央部には、ケーシング本体２の上壁部を部分的に凹陥することで凹陥部６が形成されている。この凹陥部６は、前側の半径が後側の半径よりも大きくなるように平面視で卵形（茄子形）のものであり、凹陥部６の底壁部には、凹陥部６と相似形状をなす取付孔部７と、この取付孔部７の前半部周りの位置に、図６にも示すように複数（図示例では６つ）の空気吸込孔８，８，…とがそれぞれ貫通形成されている。
【００１９】
上側カバー３は、ケーシング本体２の上面に上記凹陥部６及び後述する駆動ユニット１０を覆うように着脱可能に取り付けられ、この上側カバー３とケーシング本体２の上面との間に、外部の空気を凹陥部６内に取り入れるための空気取入口９が形成されている。
【００２０】
上記凹陥部６の取付孔部７には駆動ユニット１０が気密状に嵌挿されて取付固定されている。この駆動ユニット１０は、図５に示すように、密閉された略長靴形状のケース１１を有し、そのケース１１の内部は上下中間の隔壁１２によって上側のモータ収容室１３と下側の伝動機構収容室１４とに区画されている。モータ収容室１３には駆動装置としての電動モータ１６が収容固定されている。この電動モータ１６は、図１に示すように、ブレーカー１９を介して電源ケーブル２０に接続されており、この電源ケーブル２０によって芝刈り機Ａ外部から電動モータ１６に電力が供給される。
【００２１】
上記電動モータ１６は上下方向の回転軸心Ｏ１を持つモータ軸１７（出力軸）を有し、このモータ軸１７の上端部はケース１１の上端部にベアリング２４により回転可能に支持されている。モータ軸１７の下端部は上記隔壁１２を気密状に貫通して伝動機構収容室１４に延び、その伝動機構収容室１４においてベアリング２２により回転可能に支持されている。モータ軸１７においてモータ収容室１３内の部分にはモータ冷却ファン２３が回転一体に取付固定されている。このファン２３は、ケース１１をファンハウジングとする遠心ファンとして機能するようになっており、モータ冷却ファン２３の回転により、空気取入口９を経て凹陥部６内に取り入れた空気をケース１１の上端部の孔部（図示せず）からモータ収容室１３内に吸い込んで電動モータ１６を冷却するようにしている。
【００２２】
上記伝動機構収容室１４内にはベルト伝動機構２６が収容されている。このベルト伝動機構２６は、伝動機構収容室１４内のモータ軸１７に回転一体に取り付けられたＶリブドプーリからなる駆動プーリ２７と、モータ軸１７よりも前側に離れた位置にある刈り刃軸３２に回転一体に取り付けられ、駆動プーリ２７よりも大径のＶリブドプーリからなる従動プーリ２８と、これら駆動及び従動プーリ２７，２８に巻き掛けられたＶリブドベルト２９とからなる。
【００２３】
上記刈り刃軸３２は上下方向の回転軸心Ｏ２をもってケーシング１（駆動ユニット１０のケース１１）に回転可能に支持されている。すなわち、刈り刃軸３２の上部は上記ケース１１の隔壁１２にベアリング３３を介して回転可能に支持されている一方、刈り刃軸３２の下部はケース１１の底壁部を貫通して下側に延び、そのケース１１の底壁部外面でベアリング３４により回転可能に支持されている。このケース１１下側の刈り刃軸３２下端部には、芝排出ファン３７と刈り刃３８とがそれぞれ上下に重なって中心部で回転一体にかつ着脱可能に取り付けられている。すなわち、刈り刃軸３２には、その下端面に締結される取付ボルト３９によって上下２つの取付具４０，４１が取り付けられており、これらの取付具４０，４１によって芝排出ファン３７及び刈り刃３８が刈り刃軸３２に取付固定されている。
【００２４】
上記刈り刃３８は円板状のもので、その外周部の複数箇所が部分的に等角度間隔をあけて略三角形状に切り欠かれており、この切欠部分の半径方向の縁部に、芝を刈り取る複数（図示例では８つ）の刃部３８ａ，３８ａ，…が形成されている。そして、電動モータ１６の回転をベルト伝動機構２６を介して減速して刈り刃軸３２に伝達して芝排出ファン３７と刈り刃３８とを回転させ、刈り刃３８の回転により刃部３８ａ，３８ａ，…で芝を刈り取る一方、芝排出ファン３７の回転により、空気取入口９を経て凹陥部６内に取り入れた空気を上記空気吸込孔８，８，…を経て後述の刈り芝排出通路４２の上流部内に吸い込み（後述の芝刈り取り口５２を経ても空気が吸い込まれる）、その吸い込んだ空気を刈り芝排出通路４２から排出することで、刈り芝排出通路４２内に空気流を生成するようにしている。
【００２５】
ケーシング本体２の下部には刈り芝排出通路４２の上流部が凹陥部６を取り囲むように形成されている。すなわち、この刈り芝排出通路４２の上流部は、上記刈り刃軸３２の左側後ろ斜め位置に始端部４２ａ（始端位置）を有し、この始端部４２ａから刈り刃軸３２の前側に向かった後に刈り刃軸３２の右側を後側に向かうように刈り刃軸３２の周りを刈り刃軸３２の回転方向（図１及び図２では時計回り方向、図３及び図４では反時計回り方向）に沿って水平面内で螺旋状に延びている。
【００２６】
この刈り芝排出通路４２の上流部の周囲壁部は、上記芝排出ファン３７が遠心ファンとして機能するようにファンハウジングをなすもので、凹陥部６の縦壁の上下略中間位置よりも下側部分で構成される内側壁部４３と、凹陥部６の縦壁の上下略中間位置から水平横方向に延びる上壁部４４と、この上壁部４４の外周縁から下側に向かって内側壁部４３と平行に延びる外側壁部４５とを有し、この外側壁部４５及び内側壁部４３の下端部間に上記下側カバー４からなる下壁部４６が架設され、これらの壁部４３〜４６間に断面矩形状の刈り芝排出通路４２が形成されている。刈り芝排出通路４２の始端部４２ａでは、内側壁部４３と外側壁部４５とが接合されて刈り芝排出通路４２が閉塞されている。
【００２７】
刈り芝排出通路４２の下流部は、上記上流部の下流端から連続して後側に延び、ケーシング１後端に開口する排出口５１に連通している。この刈り芝排出通路４２の下流部の通路壁は、上流部の内側壁部４３に連続する左側壁部４７と、上壁部４４に連続する上壁部４８と、外側壁部４５に連続する右側壁部４９と、下壁部４６（下側カバー４）に連続し、下側カバー４後側のケーシング本体２で構成される下壁部５０とにより形成されている。この下流部の壁部４７〜５０は後側に向かって上側（図５参照）に向かうように傾斜しており、このことで、刈り芝排出通路４２の下流部は、水平面内にある上流部に対し後上がりに傾斜して排出口５１に接続されている。
【００２８】
そして、上記芝排出ファン３７の図１及び図２で時計回り方向（図３及び図４では反時計回り方向）の回転により、その芝排出ファン３７を遠心ファンとして機能させて、刈り芝排出通路４２の始端部４２ａから上流部及び下流部を経て排出口５１に向かう空気流が生成され、この空気流により、上記刈り刃３８で刈り取った芝が排出口５１に排出されるようにしている。
【００２９】
上記下側カバー４は、刈り刃３８を下側から覆うようにケーシング本体２に着脱可能に取り付けられており、下側カバー４を取り外すことにより、刈り刃３８や芝排出ファン３７の点検や交換を可能としている。
【００３０】
また、この下側カバー４の前端部は刈り刃３８の外径よりも若干小径で前側に膨らんだ円弧形状に形成されている。この下側カバー４の前端部と、上記刈り芝排出通路４２の上流部における外側壁部４５の前半部との間は、下側カバー４の前端部が低くなるように段差が設けられ、この段差部分に、刈り刃３８の外周部前半が露出する平面視で円弧状の芝刈り取り口５２が開口されており、この芝刈り取り口５２に入った芝を刈り刃３８の刃部３８ａ，３８ａ，…で刈り取るようになっている。
【００３１】
上記ケーシング本体２前部の左右両側部にはそれぞれ板状のフロントプレート５４，５４が取付固定され、各フロントプレート５４の前部には車幅方向外側（左側フロントプレート５４では左側で、右側フロントプレート５４では右側）に延びる水平左右方向のボルト状の前車軸５６が取付固定され、この前車軸５６にそれぞれ前輪５７（走行車輪）が回転自在に支持されている。
【００３２】
一方、ケーシング本体２後部の左右両側部にもそれぞれ板状のリヤプレート５９，５９が取付固定され、各リヤプレート５９の前部には車幅方向外側（左側リヤプレート５９では左側で、右側リヤプレート５９では右側）に延びる水平左右方向のボルト状の後車軸６１が取付固定され、この後車軸６１にそれぞれ後輪６２（走行車輪）が回転自在に支持されている。
【００３３】
本発明の特徴として、図１、図２、図４に示すように、上記駆動ユニット１０における電動モータ１６は、そのモータ軸１７の位置が上記刈り刃軸３２の真後ろ位置に対しそれよりも上記刈り芝排出通路４２の始端部４２ａ側（左側）（刈り刃軸３２の真後ろ位置から刈り刃軸３２の回転方向前側）に刈り刃軸３２周りに所定のオフセット角度θ（例えば２０°）だけオフセットした後側斜め位置に配置されている。
【００３４】
尚、上記ケーシング１の上面後端部には、芝刈り機Ａを押して移動させるための操作ハンドル７４（一部のみ図示）が取り付けられている。また、ケーシング１の後端部には、排出口５１から排出された芝を溜める刈り芝入れかご７６が着脱可能に取り付けられている。
【００３５】
次に、上記実施形態の芝刈り機Ａの作動について説明する。この芝刈り機Ａを使用する際、電源ケーブル２０を外部電源に接続し、図示していない電源スイッチをＯＮ操作して電動モータ１６を作動させると、そのモータ軸１７が回転する。このモータ軸１７にはモータ冷却ファン２３が取り付けられているので、このモータ冷却ファン２３の回転により、空気取入口９を経て凹陥部６内に取り入れられた空気が駆動ユニット１０のケース１１上端部の孔部からモータ収容室１３に吸い込まれて電動モータ１６を冷却する。
【００３６】
また、モータ軸１７にはベルト伝動機構２６の駆動プーリ２７が取り付けられ、この駆動プーリ２７にＶリブドベルト２９を介して刈り刃軸３２上の従動プーリ２８が連結されているので、電動モータ１６の作動によりベルト伝動機構２６を介して刈り刃軸３２が回転駆動され、この刈り刃軸３２に取り付けられた刈り刃３８及び芝排出ファン３７が図１及び図２で時計回り方向（図３及び図４では反時計回り方向）に回転する。
【００３７】
そして、ケーシング本体２内に刈り芝排出通路４２が形成され、この刈り芝排出通路４２の上流部は、刈り刃軸３２の左側の始端部４２ａから刈り刃軸３２の前側に向かった後に刈り刃軸３２の右側を後側に向かうように刈り刃軸３２の周りを刈り刃軸３２の回転方向に沿って螺旋状に延びているので、上記芝排出ファン３７の回転に伴い、刈り芝排出通路４２の上流部（螺旋状部分）が遠心ファンのファンハウジングとして機能する。そのため、外部から空気がケーシング１上面の空気取入口９を経て凹陥部６内に取り入れられた後に空気吸込孔８，８，…を経て刈り芝排出通路４２の上流部内に吸い込まれる。また、この空気吸込孔８，８，…を経て吸い込まれる空気の量よりも少ないが、外部の空気がケーシング１下面の芝刈り取り口５２を経ても刈り芝排出通路４２の上流部内に吸い込まれ、これらの空気は刈り芝排出通路４２から排出される。このことで刈り芝排出通路４２に始端部４２ａから排出口５１に向かう空気流が生成する。
【００３８】
このような状態で作業者が操作ハンドル７４を把持して芝刈り機Ａを前進走行させると、ケーシング１下面に開口する円弧状の芝刈り取り口５２に芝が入り、この芝刈り取り口５２に入った芝が、回転する刈り刃３８の刃部３８ａ，３８ａ，…で刈り取られる。この刈り取られた芝は刈り刃３８上側の刈り芝排出通路４２に送られるが、この刈り芝排出通路４２には上記のように空気流が生成しているので、この空気流により芝は空気と共に刈り芝排出通路４２を下流側に搬送され、その下流端の排出口５１から排出された後に刈り芝入れかご７６に収容される。
【００３９】
この実施形態では、上記電動モータ１６の位置は、刈り刃軸３２の真後ろ位置よりも刈り芝排出通路４２の始端部４２ａ側である左側に刈り刃軸３２周りの所定のオフセット角度θ（例えば２０°）だけオフセットした後側斜め位置であるので、その電動モータ１６は、刈り芝排出通路４２において螺旋状に形成される上流部と干渉しない位置に位置することとなる。このことで、芝刈り機Ａのケーシング１を全体で大きくすることなく、また、刈り芝排出通路４２の断面積を、特に左右方向の幅を狭めることなく大きく確保することができ、刈り芝排出通路４２での芝の排出効率を高めることができる。
【００４０】
また、モータ軸１７と刈り刃軸３２とは、モータ軸１７の回転を減速して刈り刃軸３２に伝達するベルト伝動機構２６を介して連結されているので、モータ軸１７の回転トルクよりも刈り刃軸３２（刈り刃３８）の回転トルクを増大させて、芝の刈り取り能力を高めることができる。
【００４１】
（その他の実施形態）
尚、上記実施形態では、電動モータ１６を外部電源により駆動するようにしているが、バッテリを搭載して、そのバッテリの電源によって駆動するようにしてもよい。
【００４２】
また、上記実施形態では、駆動装置を電動モータ１６としているが、本発明は、小型エンジンによって刈り刃３８及び芝排出ファン３７を駆動する芝刈り機にも適用することができる。
【００４３】
さらに、上記実施形態では、手動操作して前進させる芝刈り機Ａに適用しているが、本発明は自走式の芝刈り機にも適用することができる。
【産業上の利用可能性】
【００４４】
本発明は、ロータリ芝刈り機における芝の排出効率を簡単な構造で高めることができる点で極めて有用であり、産業上の利用可能性が高い。
【図面の簡単な説明】
【００４５】
【図１】図１は、本発明の実施形態に係るロータリ芝刈り機を上側カバーの取外し状態で上側から見た平面図である。
【図２】図２は、ケーシングを刈り芝排出通路の上壁部上端の位置で破断した状態で上側から見たロータリ芝刈り機の平面図である。
【図３】図３は、ロータリ芝刈り機を下側から見た平面図である。
【図４】図４は、ケーシングを刈り芝排出通路の略上下中央位置で破断しかつ刈り刃及び芝排出ファンを取り外した状態で下側から見たロータリ芝刈り機の平面図である。
【図５】図５は、ロータリ芝刈り機を左側から見て示す側面断面図である。
【図６】図６は、図１のVI−VI線断面図である。
【符号の説明】
【００４６】
Ａ  ロータリ芝刈り機
１  ケーシング
１０  駆動ユニット
１６  電動モータ（駆動装置）
１７  モータ軸（出力軸）
Ｏ１  回転軸心
２３  モータ冷却ファン
２６  ベルト伝動機構
３２  刈り刃軸
Ｏ２  回転軸心
３７  芝排出ファン（ファン）
３８  刈り刃
３８ａ  刃部
４２  刈り芝排出通路
４２ａ  始端部
５１  排出口
５２  芝刈り取り口
５７  前輪（走行車輪）
６２  後輪（走行車輪）
θ  オフセット角度
【図１】
2007300897.tif 000003
【図２】
2007300897.tif 000004
【図３】
2007300897.tif 000005
【図４】
2007300897.tif 000006
【図５】
2007300897.tif 000007
【図６】
2007300897.tif 000008